(57)【特許請求の範囲】
【請求項１】
予め用意された複数の多色原画を手動操作による画像入力手段を使用して複数段階を順次読み込んで複数の画像データを生成して、該画像データを刺繍縫いデータに変換する刺繍模様入力装置であって、前記画像入力手段による画像データを各段階毎に記憶する手段と、予め定められた前記画像入力手段の移動速度設定値を記憶する手段と、前記画像入力手段の操作速度を検出する手段と、該検出する手段により検出された操作速度と、前記予め定められた移動速度設定値とを比較する手段と、該比較する手段による比較の結果、前記操作速度が前記移動速度設定値以上である場合に警告する手段と、該比較する手段による比較の結果、前記操作速度が前記移動速度設定値以上である場合に、前記画像データ記憶手段に記憶済みの複数の画像データのうちの、当該段階のみの前記画像データを消去する手段とを備えたことを特徴とする誤操作入力防止装置を備えた刺繍模様入力装置。
【発明の詳細な説明】
【０００１】
【産業上の利用分野】
この発明は、刺繍縫いミシンの誤操作入力防止装置を備えた刺繍模様複数段階入力装置に関し、色違い等の複数の刺繍模様をイメージスキャナ等の画像入力装置を用いて複数段階に入力し、これを縫い目データに変換する刺繍模様入力装置に関する。
【０００２】
【従来の技術】
刺繍縫いミシンの刺繍模様データを作成するに際し、原画をイメージスキャナ等により取り込んで、これを刺繍縫いデータに変換する刺繍模様入力装置が知られている。そして、多色の模様などを得たい場合には、原画を色彩毎に複数用意し、各原画毎に画像入力装置により複数段階読み込んで、ミシンにより刺繍縫いする際に、各原画の位置を合わせて多色の刺繍縫いを実現する技術が既に提案され実現されている。
ところでこのような原画を取り込むための装置はイメージスキャナ等を使用するため、装置が大掛かりになるが、近年手動操作のハンドスキャナを用いることにより小型化した装置が本願出願人等により提案されている。
【０００３】
【発明が解決しようとする課題】
しかし上記した手動操作の画像入力手段を用いる場合、手動による操作速度が不安定になり、特に操作速度が速すぎる場合には得られる画像データが不完全なものになる欠点があった。このような不完全な画像データが生じた場合、最初から入力をやり直す必要があり、特に上記したような複数段階で入力する場合には、最初の段階から再入力しなければならず、手間が非常にかかる問題があった。
本発明は上記した従来技術の問題点を解決することを目的とする。
【０００４】
【課題を解決するための手段】
本発明は、予め用意された複数の多色原画を手動操作による画像入力手段を使用して複数段階を順次読み込んで複数の画像データを生成して、該画像データを刺繍縫いデータに変換する刺繍模様入力装置であって、前記画像入力手段による画像データを各段階毎に記憶する手段と、予め定められた前記画像入力手段の移動速度設定値を記憶する手段と、前記画像入力手段の操作速度を検出する手段と、該検出する手段により検出された操作速度と、前記予め定められた移動速度設定値とを比較する手段と、該比較する手段による比較の結果、前記操作速度が前記移動速度設定値以上である場合に警告する手段と、該比較する手段による比較の結果、前記操作速度が前記移動速度設定値以上である場合に、前記画像データ記憶手段に記憶済みの複数の画像データのうちの、当該段階のみの前記画像データを消去する手段とを備えたことを特徴とする誤操作入力防止装置を備えた刺繍模様入力装置とすることで課題を解決することができた。
【０００５】
【作用】
手動操作による画像入力手段による各段階毎に画像データは記憶する手段に記憶される。また予め定められた前記画像入力手段の移動速度設定値は設定値を記憶する手段に記憶される。前記画像入力手段の操作速度は検出する手段により検出され、該操作速度と前記予め定めた移動速度設定値とが比較する手段により比較される。この比較の結果、前記操作速度が前記移動速度設定値以上である場合には、警告する手段により警告が発せられ、同時にデータ消去手段によりその段階における前記画像データが消去される。
【０００６】
【実施例】
以下本発明の実施例を図面に基づいて説明する。
図１は本発明の誤操作入力防止装置を備えた刺繍模様入力装置の一実施例の外観を示す斜視図であり、この刺繍模様入力装置Ｘは画像入力手段としてハンディタイプのイメージスキャナ２を備えている。このイメージスキャナ２は入力装置本体Ａに接続され、これにより読み取られた画像データは図２に示す中央演算処理装置１に入力されるように構成されている。
【０００７】
入力装置本体Ａにはガイド２４が備えられており、このガイド２４上に設定された原画載置部２５上に模様の原画を載置してイメージスキャナ２を該原画上を走行させることにより原画の画像を読み取るようになっている。このようなガイド２４を用いないでフリーに原画上を走行させて画像を読み取らせることも可能である。
【０００８】
入力装置本体Ａには図４に示すように読取キー５０、記憶キー５１及び色替／段階数設定キー５２等の複数のファンクションキーからなる操作指令部５が設けられており、操作者がこれらのキーを操作して、イメージスキャナ２を原画上を走行させることにより画像を読み取らせるようになっている。
即ち操作者が読取キー５０を操作し、イメージスキャナ２のスキャナボタン２０を押しながらイメージスキャナ２を原画載置部２５上の原画上を走行させることにより、該原画の画像がイメージスキャナ２に読み取られ、次いで操作者が完了キー５１を操作することにより該画像データは図２に示す中央演算処理装置１に入力されて、画像データ記憶手段１１に記憶されるように構成されている。
多色原画の読み取りなど、複数段階で読み取らせる場合には、色替／段階数設定キー５２を押して色替えモードとし、更に読み取りの段階数（原画数或いは色数）を入力し、各原画毎に読取キー５０を操作して段階数だけ同じ操作を繰り返して読み込ませるようになっている。
【０００９】
画像入力に際しては、操作者が記憶キー５２を操作することにより、中央演算処理装置１は縫い目データ変換プログラム記憶手段１０からのプログラム命令に従って、画像データ記憶手段１１に記憶された画像データをミシンの刺繍模様の縫い目データに変換して縫い目データ記憶手段６に入力するようになっている。
中央演算処理装置１には複数段階カウント手段７が備えられており、記憶キー５２が押される度にその段階が終了したと判断し、複数段階カウント手段７が段階のカウントを１つ増加して次の段階の画像入力に備えるようになっている。
【００１０】
縫い目データ記憶手段６はこの実施例ではＲＡＭカードになっており、図１に示すように入力装置本体ＡのＲＡＭカードスロット３０に装脱着可能になっている。縫い目データを記憶した縫い目データ記憶手段６を入力装置本体Ａから取り外して、これを図５に示す刺繍ミシン本体ＹのＲＡＭカード読取部３５に装着すれば、該縫い目データ記憶手段６に記憶された刺繍模様の縫い目に従って刺繍ミシン本体Ｙが作動し、前記原画と同一の模様が刺繍縫い目として実現できるように構成されている。
なお、このような複数段階で画像を入力し、縫い目データに変換してミシンに多色縫いを実行させる構成は、既に提案されている種々の構成のものを採用可能であり、またこれらの構成についての記載は省略する。
【００１１】
図３に示すようにイメージスキャナ２の裏面側には画像読取部２２が設けられ、この画像読取部２２から画像を読み込むようになっている。また走行ローラ２３が設けられており、操作者の手動操作によりこの走行ローラ２３が回転してイメージスキャナ２を軽い力で走行させることが出来るようになっている。
走行ローラ２３の近傍にはその回転を検出する回転センサ２７が設けられており、この回転データは図２の操作速度検出手段３に送られて、ここでイメージスキャナ２の走行速度、即ちイメージスキャナ２の操作速度が該回転データに基づいて計算され、該操作速度データが中央演算処理装置１に送られるようになっている。
【００１２】
イメージスキャナ２の操作速度の検出方法は走行ローラ２３の回転検出以外に種々の方法が可能である。例えば図４に示すように原画載置部２５の側部に目盛２６を設けて、操作の開始時点でタイマを始動して該目盛２６の各メモリの検出に基づいて操作速度を得る方法等が可能であり、他の種々の方法も採用することができる。
なお、２０は画像読み取りを行うためのスキャナボタン、２１は読み取りの濃淡を調整するスキャナダイヤル、３１は種々の表示及び後述する警告手段４による警告の表示を行う液晶表示板、３２は縫い目データ記憶手段６のＲＡＭカード取出しボタン、３３は電源スイッチである。
【００１３】
図２において、中央演算処理装置１には移動速度設定値記憶手段１２が接続されており、ここにイメージスキャナ２の移動速度（操作速度）の上限の所定の設定速度が記憶されている。これは、イメージスキャナ２の内部に用いられているＣＣＤ等の撮像素子の特性やこれらに基づくイメージスキャナ２の総合的な特性により、正確に原画の画像を読み取ることのできる最高の移動速度に応じて決定すれば良い。
【００１４】
中央演算処理装置１には更に速度比較手段１３が接続され、ここで前記操作速度検出手段３で検出したイメージスキャナ２の操作速度と移動速度設定値記憶手段１２に記憶された移動速度の設定速度とを比較し、イメージスキャナ２の操作速度が設定速度を越えているか否か判断し、その比較結果を中央演算処理装置１に送るように構成されている。中央演算処理装置１はイメージスキャナ２の操作速度が設定速度を越えている場合には、警告手段４及びデータ消去手段８に信号を送るようになっている。
【００１５】
警告手段４は速度比較手段１３の比較結果の信号を受けて、イメージスキャナ２の操作速度が設定速度よりも速い時に、その旨の警告を行い、データ消去手段８はその段階における画像データの消去を行うように構成されている。
警告手段４の警告方法としては、ブザーや他の音声手段或いは視覚的な表示手段等種々の態様のものを用いることが可能であり、この実施例では電子音のブザー（図示せず）を用いて音声的に警告を発すると共に、入力装置本体Ａに設けられている液晶表示板３１を警告手段として用いて視覚的に警告を発するように構成されている。
データ消去手段８は前記したように、操作速度が設定速度より速い時に、画像データ記憶手段１１に記憶されたその段階の画像データを消去するようになっている。これにより、その段階における適切に取り込まれなかった不完全な画像データを取り除くことが可能になり、再入力する際には当該段階から行えば良くなる。
【００１６】
図６により、動作を説明する。
操作者が入力装置本体Ａの読取キー５０を押し、色替／段階数設定キー５２により色替えモードを選択し、且つ段階数を入力設定し（ステップ６０）、イメージスキャナ２のスキャナボタン２０を押しながらイメージスキャナ２を原画上を走行させると、イメージスキャナ２は原画を順次読み込んで、その画像データを中央演算処理装置１に送る（ステップ６１）。中央演算処理装置１はイメージスキャナ２から送られた画像データを順次画像データ記憶手段１１に記憶させる（ステップ６２）。そして、操作速度検出手段３から送られてきた操作速度と移動速度設定値記憶手段１２に予め記憶された移動速度の設定値とを速度比較手段１３において比較し、（ステップ６３）、その結果イメージスキャナ２の操作速度が設定速度より遅い場合には、適正な速度と判定して、操作者が記憶キー５１を操作して読み取りが終了するまで、読み取り動作を続行する（ステップ６４）。
操作者が記憶キー５１を操作したら、中央演算処理装置１は縫い目データ変換プログラム記憶手段１０のプログラムに従って、画像データ記憶手段１１に格納したデータを縫い目データに変換して、この縫い目データを縫い目データ記憶手段６に格納する（ステップ６５）。
【００１７】
次いで複数段階カウント手段７による段階が１つ増加され（ステップ６６）、中央演算処理装置１は該複数段階カウント手段７によるカウント数が色替／段階数設定キー５２で設定した数と一致するまで、ステップ６１からの動作を繰り返す（ステップ６７）。
【００１８】
ステップ６３でイメージスキャナ２の操作速度が設定速度よりも速い場合には、中央演算処理装置１は警告手段４に信号を送り、ここで操作速度が速すぎる旨の警告を発する（ステップ６８）。同時にデータ消去手段８は画像データ記憶手段１１に記憶済みの、当該段階のみの画像データを消去する（ステップ６９）。そして、読取キー５０が操作されたか或いは他の再読み込みキー（図示せず）が操作されたか否かチェックして（ステップ７０）、再読み込みの指令があった場合にはステップ６１に戻り、その段階の原画の再読み取りを実行する。再読み込みの指令がない場合には動作を終了する。
以上により複数段階の読み込み動作において、不完全データが発生した場合、その段階のみの再読み込みを行えばよいから、再読み込みの効率化が図れる。
【００１９】
以上説明した実施例の装置の使用方法を説明する。
最初に電源スイッチ３３をオンした後、ＲＡＭカードスロット３０に縫い目データ記憶手段６を装入しておく。そして、色替／段階数設定キー５２を押して色替えモードを選択し、色数（段階数）を設定する。そして色違い毎の原画を用意し、ガイド２４の原画載置部２５（或いは他の適所）に原画を置き、図４に示すようにガイド２４の上端にイメージスキャナ２を置き読取キー５０を操作した上で、スキャナボタン２０を押しながらイメージスキャナ２を下端まで移動させる。これにより画像読取部２２が原画載置部２５の上を上端から下端まで走査して原画載置部２５上の原画の画像を読み取る。同一の操作を原画毎に段階数だけ繰り返す。
イメージスキャナ２の移動中に、イメージスキャナ２の操作速度が所定の速度よりも速すぎる場合には、その旨の警告が音声により発せられると共に液晶表示板３１に表示されるから、操作者は誤操作であることを速やかに認識できる。また同時にその段階の画像データ記憶手段１１に記憶された画像データが自動的に消去される。従って、操作者がデータを消去する手間が不要であり、また誤操作に基づく不完全な画像データが残存する恐れがない。また操作速度が速いことを警告することにより、操作者は適正な操作速度を知ることができ、操作の習熟を促進できる。
操作速度が速い旨の警告があったら、操作者はイメージスキャナ２を再度その段階の原画の上端にあて、画像入力動作を繰り返す。
【００２０】
操作速度が速すぎる旨の警告がない場合また再読み込みで警告がない場合、適正な画像読み込みが行われているから、記憶キー５１を押すことにより画像データは縫い目データに変換されて縫い目データ記憶手段６に格納される。
この動作を段階数だけ繰り返す。
全ての段階が終了したら、操作者はＲＡＭカード取出しボタン３２を押して、縫い目データ記憶手段６を入力装置本体Ａから取り出し、刺繍ミシン本体ＹのＲＡＭカード読取部３５に縫い目データ記憶手段６を装着して刺繍ミシン本体Ｙを操作することにより複数の原画に対応した多色の刺繍模様縫いを行うことができる。
【００２１】
なお、上記実施例では色替えに基づく複数段階入力について説明したが、これに限定されることなく、どのような複数段階入力であっても良い。
また操作速度検出手段３、データ消去手段８、画像データ記憶手段１１、移動速度設定値記憶手段１２、速度比較手段１３等を中央演算処理装置１と独立して構成しているが、これに限定されるものではなく、中央演算処理装置１と一体的に構成することも可能である。
【００２２】
また上記実施例では刺繍模様入力装置Ｘが刺繍ミシン本体Ｙとは別体に構成されているものについて説明したが、ガイド２４、原画載置部２５を除く入力装置本体Ａを刺繍ミシン本体Ｙに組み込み、イメージスキャナ２を刺繍ミシン本体Ｙに接続するように構成することも可能である。この場合縫い目データ記憶手段６を上記実施例と同様に挿脱可能なカード型に構成することも可能であるし、また刺繍ミシン本体Ｙに内蔵されたメモリとして構成することも可能である。
【００２３】
【発明の効果】
以上説明したように本発明の誤操作入力防止装置を備えた刺繍模様入力装置は、手動操作による画像入力手段を使用して所望の複数の画像を複数段階で取り込み、該画像データを刺繍縫いデータに変換する刺繍模様入力装置であって、前記画像入力手段による画像データを各段階毎に記憶する手段と、予め定められた前記画像入力手段の移動速度設定値を記憶する手段と、前記画像入力手段の操作速度を検出する手段と、該検出する手段により検出された操作速度と、前記予め定められた移動速度設定値とを比較する手段と、該比較する手段による比較の結果、前記操作速度が前記移動速度設定値以上である場合に警告する手段と、該比較する手段による比較の結果、前記操作速度が前記移動速度設定値以上である場合に、その段階における前記画像データを消去する手段と、を備えているため、ハンディタイプのイメージスキャナ等の手動操作の画像入力装置を用いた複数段階の画像入力において、不完全な刺繍模様データの形成を未然に防止することができ、しかも画像の再入力はその段階だけの入力でよいから効率的である。そして、これにより特別な構成の入力装置を用いることなく、家庭レベルで手軽に入力する装置を提供することができる。また、警告することで入力時の適正な操作速度を知ることができる等の効果がある。
【図面の簡単な説明】
【図１】本発明の一実施例の外観を示す斜視図。
【図２】本発明の一実施例の構成を示す機能ブロック図。
【図３】本発明の一実施例におけるイメージスキャナ２の裏面を示す斜視図。
【図４】本発明の一実施例における原画載置部２５を示す部分拡大図。
【図５】本発明の一実施例における縫い目データ記憶手段６が装着されるミシンの外観図。
【図６】本発明の一実施例の動作を示すフローチャート図。
【符号の説明】
１：中央演算処理装置、２：イメージスキャナ、３：操作速度検出手段、４：警告手段、５：操作指令部、６：縫い目データ記憶手段、８：データ消去手段、１０：縫い目データ変換プログラム記憶手段、１１：画像データ記憶手段、１２：移動速度設定値記憶手段、１３：速度比較手段、２０：スキャナボタン、２１：スキャナダイヤル、２２：画像読取部、２３：走行ローラ、２４：ガイド、２５：原画載置部、２６：目盛、２７：回転センサ、３０：ＲＡＭカードスロット、３１：液晶表示板、３２：ＲＡＭカード取出しボタン、３３：電源スイッチ、３５：ＲＡＭカード読取部、５０：読取キー、５１：記憶キー、５２：色替／段階数設定キー。
【図１】
0003763481.tif 000002
【図５】
0003763481.tif 000003
【図２】
0003763481.tif 000004
【図３】
0003763481.tif 000005
【図４】
0003763481.tif 000006
【図６】
0003763481.tif 000007